(57)【要約】【課題】ユーザを好適なタイミングで撮影し、撮影画像をユーザに関連付ける。【解決手段】本実施形態に係る撮影システムは、利用者を識別する識別情報が印字されたチケットから前記識別情報を読み取る読取機と、前記利用者を撮影し、撮影画像を生成して送信する撮影装置と、前記利用者の接触又は動きの変化を検知し、検知信号を送信するセンサと、前記センサから前記検知信号を受信すると、前記撮影装置へ制御信号を送信し、前記撮影装置に撮影処理を実行させる携帯端末と、前記撮影装置から前記撮影画像を受信し、前記読取機から前記識別情報を取得し、前記撮影画像と前記識別情報とを紐付けて保存する画像管理装置と、を備える。【選択図】図１
2020014130.tif 000002
【特許請求の範囲】
【請求項１】
利用者を識別する識別情報が印字されたチケットから前記識別情報を読み取る読取機と、
前記利用者を撮影し、撮影画像を生成して送信する撮影装置と、
前記利用者の接触又は動きの変化を検知し、検知信号を送信するセンサと、
前記センサから前記検知信号を受信すると、前記撮影装置へ制御信号を送信し、前記撮影装置に撮影処理を実行させる携帯端末と、
前記撮影装置から前記撮影画像を受信し、前記読取機から前記識別情報を取得し、前記撮影画像と前記識別情報とを紐付けて保存する画像管理装置と、
を備える撮影システム。
【請求項２】
前記画像管理装置から前記撮影画像を受信し、受信した撮影画像をダウンロードするためのＵＲＬ情報を生成して前記画像管理装置へ送信するサーバ装置をさらに備え、
前記画像管理装置は、前記ＵＲＬ情報を含むダウンロードチケット画像を作成し、前記撮影画像、前記ダウンロードチケット画像及び前記識別情報を紐付けて保存することを特徴とする請求項１に記載の撮影システム。
【請求項３】
前記画像管理装置は、前記ダウンロードチケット画像をプリンタへ転送し、前記プリンタから前記ダウンロードチケット画像をプリント出力させることを特徴とする請求項２に記載の撮影システム。
【請求項４】
前記チケットから前記識別情報を読み取る読取部、読み取った前記識別情報を前記画像管理装置へ送信し、送信した識別情報に対応するダウンロードチケット画像を前記画像管理装置から取得する通信部、及び取得したダウンロードチケット画像をプリント出力するプリンタを有する画像プリント装置をさらに備えることを特徴とする請求項２に記載の撮影システム。
【請求項５】
前記サーバ装置は、前記ＵＲＬ情報を用いてアクセスしてきたユーザ端末に対して、前記ＵＲＬ情報に対応する撮影画像を送信することを特徴とする請求項３又は４に記載の撮影システム。
【請求項６】
前記センサはクライミングウォールに取り付けられていることを特徴とする請求項１乃至５のいずれか１項に記載の撮影システム。
【発明の詳細な説明】
【技術分野】
【０００１】
本発明は、被写体の撮影を行う撮影システムに関する。
【背景技術】
【０００２】
レジャー施設では、利用者を撮影し、写真を販売するサービスが行われている。例えば、アトラクションの入口でスタッフが来場者を撮影し、プリント出力した写真をアトラクションの出口で販売している。
【０００３】
また、被写体を所定の箇所から自動撮影し、撮影した写真を販売するサービスが実施されている。被写体を自動撮影する方法として、例えば、被写体が所持しているタグの発信器から発信される信号を撮影装置が取得すると、撮影装置がシャッター操作を行うものが知られている（特許文献１参照）。
【０００４】
このような発信器からの無線信号の受信をトリガーにした撮影では、電波環境や被写体の動き等の影響を受けてシャッター操作のタイミングが一定とならず、ベストタイミングでの撮影が困難であった。
【先行技術文献】
【特許文献】
【０００５】
【特許文献１】特開２００２−１１２０７４号公報
【発明の概要】
【発明が解決しようとする課題】
【０００６】
本発明は、ユーザを好適なタイミングで撮影し、撮影画像をユーザに関連付けることができる撮影システムを提供することを課題とする。
【課題を解決するための手段】
【０００７】
本発明による撮影システムは、利用者を識別する識別情報が印字されたチケットから前記識別情報を読み取る読取機と、前記利用者を撮影し、撮影画像を生成して送信する撮影装置と、前記利用者の接触又は動きの変化を検知し、検知信号を送信するセンサと、前記センサから前記検知信号を受信すると、前記撮影装置へ制御信号を送信し、前記撮影装置に撮影処理を実行させる携帯端末と、前記撮影装置から前記撮影画像を受信し、前記読取機から前記識別情報を取得し、前記撮影画像と前記識別情報とを紐付けて保存する画像管理装置と、を備えるものである。
【０００８】
本発明の一態様による撮影システムにおいて、前記画像管理装置から前記撮影画像を受信し、受信した撮影画像をダウンロードするためのＵＲＬ情報を生成して前記画像管理装置へ送信するサーバ装置をさらに備え、前記画像管理装置は、前記ＵＲＬ情報を含むダウンロードチケット画像を作成し、前記撮影画像、前記ダウンロードチケット画像及び前記識別情報を紐付けて保存する。
【０００９】
本発明の一態様による撮影システムにおいて、前記画像管理装置は、前記ダウンロードチケット画像をプリンタへ転送し、前記プリンタから前記ダウンロードチケット画像をプリント出力させる。
【００１０】
本発明の一態様による撮影システムにおいて、前記チケットから前記識別情報を読み取る読取部、読み取った前記識別情報を前記画像管理装置へ送信し、送信した識別情報に対応するダウンロードチケット画像を前記画像管理装置から取得する通信部、及び取得したダウンロードチケット画像をプリント出力するプリンタを有する画像プリント装置をさらに備える。
【００１１】
本発明の一態様による撮影システムにおいて、前記サーバ装置は、前記ＵＲＬ情報を用いてアクセスしてきたユーザ端末に対して、前記ＵＲＬ情報に対応する撮影画像を送信する。
【００１２】
本発明の一態様による撮影システムにおいて、前記センサはクライミングウォールに取り付けられている。
【発明の効果】
【００１３】
本発明によれば、ユーザを好適なタイミングで撮影し、撮影画像をユーザに関連付けることができる。
【図面の簡単な説明】
【００１４】
【図１】（ａ）は本発明の実施形態に係る撮影システムの概略図であり、（ｂ）はタッチセンサの設置例を示す図である。
【図２】画像管理装置の機能ブロック図である。
【図３】サーバ装置の機能ブロック図である。
【図４】撮影及び画像ダウンロードの方法を説明するフローチャートである。
【図５】画像プリント装置の斜視図である。
【図６】画像プリント装置のブロック図である。
【発明を実施するための形態】
【００１５】
以下、本発明の実施の形態を図面に基づいて説明する。
【００１６】
図１（ａ）に示すように、本発明の実施形態に係る撮影システムは、画像管理装置１、読取機２、タッチセンサ（タッチスイッチ）３、携帯端末４、撮影装置５、サーバ装置６及びプリンタ７を備え、利用者Ｕがタッチセンサ３に触れると、撮影装置５が利用者Ｕを撮影し、撮影した画像データを、利用者Ｕのユーザ端末８でダウンロードできるようにするものである。
【００１７】
撮影システムの利用者Ｕには、自身の識別情報（ＩＤ）が印字された撮影チケット２０が事前に配布されている。例えば、撮影チケット２０には、ＩＤを示す複数桁の英数字及びバーコードが印字されている。利用者Ｕは、撮影前に撮影チケット２０を読取機２にかざし、バーコードを読み取らせる。
【００１８】
タッチセンサ３は、例えば図１（ｂ）に示すように、ボルダリングのクライミングウォールに設置されている。利用者Ｕは、読取機２に撮影チケット２０をかざしてからクライミングを始める。
【００１９】
クライミング中の利用者Ｕがタッチセンサ３に触れると、タッチセンサ３は、静電容量の変化により利用者Ｕの接触を検知し、検知信号を携帯端末４へ送信し、利用者Ｕがセンサ３にタッチしたことを携帯端末４に通知する。携帯端末４は、例えばスマートフォンやタブレット端末であり、タッチセンサ３と携帯端末４とはブルートゥース（登録商標）等の無線通信規格で通信可能に接続されている。
【００２０】
携帯端末４は、撮影装置５と通信可能に接続されている。携帯端末４と撮影装置５とは、例えばＷｉ−Ｆｉ（登録商標）等の無線通信規格で通信可能に接続されている。撮影装置５は例えばデジタルカメラであり、タッチセンサ３の周辺が撮影されるように画角等を調整して設置されている。携帯端末４は、タッチセンサ３からの通知に伴い、撮影装置５へ制御信号を送信し、撮影装置５を制御して撮影処理を実行させる。これにより、撮影装置５は、クライミング中の利用者Ｕを撮影することができる。撮影装置５は、撮影画像を画像管理装置１へ送信する。
【００２１】
画像管理装置１は、読取機２から利用者ＵのＩＤを取得する。また、画像管理装置１は、撮影装置５から撮影処理により生成された画像データを受信・取得する。画像管理装置１は、ＩＤと画像データとを紐付けて保存する。
【００２２】
画像管理装置１は、インターネット等を介して、画像データをサーバ装置６にアップロードする。サーバ装置６は、アップロードされた画像データをダウンロードするためのＵＲＬ（Uniform  Resource  Locator）を生成し、画像管理装置１に通知する。
【００２３】
画像管理装置１は、サーバ装置６から通知されたＵＲＬを示す二次元コードを生成する。画像管理装置１は、撮影画像及び二次元コードを用いてダウンロードチケット画像を生成する。画像管理装置１は、読取機２から取得したＩＤ、撮影装置５から取得した撮影画像データ、及びダウンロードチケット画像を関連付けて（紐付けて）保存する。
【００２４】
利用者Ｕは、撮影後（例えばボルダリングを行った後）、撮影チケット２０をスタッフに提示する。スタッフは、撮影チケット２０に印字されているＩＤを確認し、画像管理装置１を操作して、このＩＤに対応するダウンロードチケット画像を検索し、プリンタ７からプリント出力させる。
【００２５】
プリンタ７から、撮影画像３２及び二次元コード３４がプリントされたダウンロードチケット３０が出力される。スタッフは、このダウンロードチケット３０を利用者Ｕに渡す。
【００２６】
プリンタ７からは、ダウンロードチケット３０だけでなく、Ｌ版や２Ｌ版等の用紙に撮影画像をプリントした写真４０を出力してもよい。
【００２７】
利用者Ｕは、自身が所有するユーザ端末８を操作して、ダウンロードチケット３０に印字された二次元コード３４からＵＲＬを読み取り、サーバ装置６にアクセスする。ユーザ端末８は、例えばスマートフォンやタブレット端末である。サーバ装置６は、アクセスされたＵＲＬに対応する画像データを特定し、ユーザ端末８からのダウンロード要求に応じて、画像データをユーザ端末８へ送信する。これにより、利用者Ｕは、ボルダリングのクライミング中に自身を撮影した画像データを入手できる。
【００２８】
このように、本実施形態では、利用者Ｕがタッチセンサ３に触れることで撮影を行うため、利用者Ｕを好適なタイミングで撮影できる。また、撮影前に利用者ＵのＩＤを取得しておくことで、撮影画像を利用者Ｕに関連付けることができる。
【００２９】
次に画像管理装置１について説明する。図２に示すように、画像管理装置１は、ＲＯＭ（Read  Only  Memory）、ＲＡＭ（Random  Access  Memory）、不揮発性メモリ、ハードディスク装置等を含む記憶部１０を有したコンピュータであり、記憶部１０には画像登録プログラム等が格納されている。
【００３０】
画像管理装置１のＣＰＵ（中央処理部）が画像登録プログラムを実行することで、図２に示すように、ＩＤ取得部１１、画像取得部１２、画像送信部１３、ＵＲＬ取得部１４、二次元コード生成部１５、ダウンロードチケット画像生成部１６、及びプリント制御部１７の機能が実現される。
【００３１】
ＩＤ取得部１１は、読取機２が撮影チケット２０のバーコードから読み取ったＩＤを取得する。
【００３２】
画像取得部１２は、撮影装置５から撮影画像データを取得する。
【００３３】
画像送信部１３は、撮影画像データをサーバ装置６へ送信する。
【００３４】
ＵＲＬ取得部１４は、サーバ装置６から、画像送信部１３が送信した撮影画像データに対しサーバ装置６が発行した画像データダウンロード用のＵＲＬを取得する。
【００３５】
二次元コード生成部１５は、ＵＲＬ取得部１４が取得したＵＲＬを二次元コードに変換する。
【００３６】
ダウンロードチケット画像生成部１６は、二次元コード及び撮影画像データを用いて、ダウンロードチケット画像を生成する。ダウンロードチケット画像生成部１６は、所定のロゴなどを合成してダウンロードチケット画像を生成してもよい。撮影画像及びダウンロードチケット画像は、利用者ＵのＩＤに対応付けて記憶部１０に保存される。
【００３７】
プリント制御部１７は、ダウンロードチケット画像をプリンタ７へ転送し、プリント出力するように制御する。
【００３８】
次に、サーバ装置６について説明する。図３に示すように、サーバ装置６は、ＲＯＭ、ＲＡＭ、ハードディスク装置等を含む記憶部６０を有したコンピュータであり、記憶部６０には画像配信プログラム等が格納されている。
【００３９】
サーバ装置６のＣＰＵが画像配信プログラムを実行することで、図３に示すように、画像受信部６１、ＵＲＬ生成部６２、ＵＲＬ送信部６３及び画像配信部６４の機能が実現される。
【００４０】
画像受信部６１は、画像管理装置１から画像データを受信する。
【００４１】
ＵＲＬ生成部６２は、画像データの受信に伴い、この画像データをダウンロードするためのＵＲＬを生成（発行）する。画像データと生成されたＵＲＬ情報とが関連付けて記憶部６０に格納される。
【００４２】
ＵＲＬ送信部６３は、生成されたＵＲＬ情報を画像管理装置１へ送信する。
【００４３】
画像配信部６４は、上述のＵＲＬを用いてアクセスしてきたユーザ端末８に対し、アクセスに用いたＵＲＬに対応する画像データを配信する。
【００４４】
次に、本実施形態に係る撮影システムを用いて利用者を撮影し、撮影画像データをユーザ端末へ配信する方法を、図４に示すフローチャートに沿って説明する。
【００４５】
読取機２が、撮影を行う利用者Ｕから提示された撮影チケット２０からＩＤを読み取る（ステップＳ１）。画像管理装置１は、読取機２からＩＤを取得する。
【００４６】
利用者Ｕがタッチセンサ３をタッチすると（ステップＳ２＿Ｙｅｓ）、タッチセンサ３が、タッチされたことを携帯端末４に通知する。携帯端末４は、通知に伴い撮影装置５を制御し、撮影処理を実行させる（ステップＳ３）。
【００４７】
携帯端末４が、撮影画像データを画像管理装置１へ転送する（ステップＳ４）。画像管理装置１が、撮影画像データをサーバ装置６にアップロードする（ステップＳ５）。サーバ装置６が、撮影画像データに対応するダウンロード用のＵＲＬを生成し（ステップＳ６）、画像管理装置１に通知する。
【００４８】
画像管理装置１は、ＵＲＬを二次元コードに変換し、撮影画像と二次元コードを含むダウンロードチケット画像を生成する（ステップＳ７）。ダウンロードチケット画像及び撮影画像は、ステップＳ１で読み取られたＩＤに対応付けて保存される。
【００４９】
利用者Ｕが、撮影チケット２０をスタッフに提示する（ステップＳ８）。スタッフが、撮影チケット２０に印字されたＩＤを確認し、画像管理装置１を操作し、このＩＤに対応するダウンロードチケット画像を選択し、プリンタ７からプリント出力させる（ステップＳ９）。スタッフは、プリンタ７から出力されたダウンロードチケット３０を利用者Ｕに渡す。
【００５０】
利用者Ｕは、ユーザ端末８を用いてダウンロードチケット３０の二次元コード３４を読み取り、サーバ装置６にアクセスし、撮影画像データをサーバ装置６からダウンロードする（ステップＳ１０）。
【００５１】
利用者Ｕがタッチセンサ３に触れた直後に撮影を行うため、利用者Ｕをベストタイミングで撮影できる。また、撮影画像が利用者ＵのＩＤに関連付けられるため、利用者Ｕは自身を撮影した画像データをダウンロードできる。
【００５２】
上記実施形態では、撮影後、利用者Ｕが撮影チケット２０をスタッフに提示し、スタッフが画像管理装置１を操作してダウンロードチケット３０をプリント出力し、利用者Ｕにダウンロードチケット３０を渡していたが、図５に示すような画像プリント装置９を利用し、スタッフを介在せずに利用者Ｕがダウンロードチケット３０を入手できるようにしてもよい。
【００５３】
図５は画像プリント装置９の斜視図であり、図６は画像プリント装置９のブロック構成図である。図５、図６に示すように、画像プリント装置９は、タッチパネル（表示部、操作部）９０Ａ、９０Ｂ、課金部９２、プリンタ９３、ＣＰＵ（中央処理部）９４、ディスク装置（記憶部）９５、メインメモリ９６、読取部９７、及び通信装置９８を有する。
【００５４】
タッチパネル９０Ａ、９０Ｂは、画像を含む情報を表示したり、利用者から各種指示の入力を受け付けたりする。本実施形態では、２つのタッチパネルを搭載した例について説明するが、タッチパネルは１つでもよい。
【００５５】
読取部９７は、撮影チケット２０のバーコードを読み取る。タッチパネル９０Ａとタッチパネル９０Ｂとの間の筐体の前面には後面側へ凹んだ凹部が設けられており、撮影チケット２０を挿入できるようになっている。読取部９７は、この凹部に挿入された撮影チケット２０のバーコードを読み取り、ＩＤを取得する。
【００５６】
課金部９２は、画像プリント装置９の筐体の前面側に設けられた硬貨投入口９２Ａ、紙幣投入口９２Ｂ、釣銭返却口９２Ｃを有し、硬貨投入口９２Ａ及び紙幣投入口９２Ｂから投入された貨幣を識別計数し、釣銭を釣銭返却口９２Ｃから放出する。また、課金部９２は、電子マネーによる決済機能を有していてもよい。ダウンロードチケット３０の作成が有料の場合は課金部９２を使用して課金処理を行う。ダウンロードチケット３０の作成が無料の場合は、課金部９２を省略してもよい。
【００５７】
プリンタ９３は、例えば昇華型熱転写方式の高解像度カラープリンタであり、ダウンロードチケット画像を用紙にプリントして出力する。
【００５８】
画像プリント装置９の筐体の前面側には、開閉扉９１が開閉自在に設けられている。開閉扉９１の裏面側には、プリンタ９３から出力されたダウンロードチケット３０の取出口が設けられている。
【００５９】
通信装置９８は、画像管理装置１と通信を行い、読取部９７が読み取ったＩＤを画像管理装置１へ送信し、送信ＩＤに対応するダウンロードチケット画像を画像管理装置１から取得する。
【００６０】
ディスク装置９５は、例えばハードディスクドライブであり、制御プログラムを格納する。ＣＰＵ９４は、ディスク装置９５内の制御プログラムをメインメモリ９６にロードして、制御プログラムを実行する。ＣＰＵ１４は、制御プログラムを実行することで、画像プリント装置の各部を制御する制御部として機能する。
【００６１】
このような画像プリント装置９を使用することで、利用者Ｕはダウンロードチケット３０を簡単に入手することができる。
【００６２】
上記実施形態では、タッチセンサ３にタッチする前に利用者Ｕ１がクライミングウォールから落下し、次の利用者Ｕ２が撮影チケット２０を読取機２にかざしてクライミングを始めることがある。利用者Ｕ１のＩＤを読み取ってから利用者Ｕ２のＩＤを読み取るまでの間に何も撮影画像が取得できない場合は、利用者Ｕ１のＩＤには何も画像データを紐付けないようにする。これにより、利用者Ｕ２を撮影した画像は、利用者Ｕ２のＩＤに紐付けて保存される。
【００６３】
利用者Ｕ１が撮影チケット２０を読取機２にかざしてクライミングを行い、タッチセンサ３にタッチして撮影を行った後、次の利用者Ｕ２が撮影チケット２０を読取機２にかざすのを忘れてクライミングを始め、タッチセンサ３にタッチして撮影を行うことがある。この場合、利用者Ｕ１のＩＤに、利用者Ｕ１を撮影した画像と、利用者Ｕ２を撮影した画像とが紐付けられてしまう。
【００６４】
そのため、撮影チケット２０からＩＤを読み取った後、所定時間内に撮影装置５から取得した画像のみ、このＩＤに紐付けるようにすることが好ましい。言い換えれば、撮影装置５から撮影画像を取得した時から所定時間前の間に何もＩＤを読み取っていない場合は、この撮影画像を利用者不明画像として、記憶部１０に保存する。これにより、撮影チケット２０を読取機２にかざすのを忘れた利用者Ｕ２の撮影画像が、前の利用者Ｕ１のＩＤに紐付けられることを防止できる。
【００６５】
撮影システムの適用場所はボルダリングに限定されない。また、撮影処理のトリガーは、タッチセンサ３に触れることに限定されない。例えば人感センサを使用し、利用者の動きの変化を感知して撮影を行ってもよい。また、例えば、お化け屋敷に明るさの変化を検知するセンサや、音量の変化を検知するセンサを設置し、お化けの出現に伴う明るさや音量の変化を検知して撮影を行うようにしてもよい。
【００６６】
上記実施形態では、画像管理装置１がサーバ装置６から通知されたＵＲＬを二次元コードに変換する例について説明したが、サーバ装置６が、生成したＵＲＬを二次元コードに変換し、二次元コードを画像管理装置１へ送信してもよい。
【００６７】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６８】
１  画像管理装置
２  読取機
３  タッチセンサ
４  携帯端末
５  撮影装置
６  サーバ装置
７  プリンタ
８  ユーザ端末
２０  撮影チケット
３０  ダウンロードチケット
４０  写真
【図１】
2020014130.tif 000003
【図２】
2020014130.tif 000004
【図３】
2020014130.tif 000005
【図４】
2020014130.tif 000006
【図５】
2020014130.tif 000007
【図６】
2020014130.tif 000008